(57)【特許請求の範囲】
【請求項１】
受光部を収容し、且つ前記受光部が第１の方向における一方側から光を受けるように配置される本体と、
前記第１の方向に直交する第２の方向で前記本体と並でおり、前記本体を支持している支持体と、
前記第１の方向と前記第２の方向の双方に対して直交する第３の方向における一方側に向いている前記本体の底面と、
前記第３の方向における一方側に向いている前記支持体の底面と、
前記本体と前記支持体との間に配置されている第１の軸と、
前記第１の軸に対して前記第１の方向における他方側に位置し、前記本体と前記支持体との間に配置されている第２の軸と、を備え、
前記本体は、前記第１の軸を中心として中立位置から前記第１の方向における前記一方側に、前記支持体に対して相対的に傾くことができるように前記支持体によって支持され、且つ、前記第２の軸を中心として前記中立位置から前記第１の方向における前記他方側に、前記支持体に対して相対的に傾くことができるように前記支持体によって支持されている、
ことを特徴とするカメラ。
【請求項２】
請求項１に記載のカメラにおいて、
前記本体と前記支持体は、前記第１の軸によって前記第２の方向において連結されている、
ことを特徴とするカメラ。
【請求項３】
請求項１に記載のカメラにおいて、
前記本体と前記支持体は、前記第２の軸によって前記第２の方向において連結されており、
前記支持体は、前記本体が前記第１の方向における前記一方側に傾くときに前記第２の軸の動きを許容し、前記本体が前記第１の方向における前記他方側に傾くときに前記第１の軸の動きを許容するよう形成されている、
ことを特徴とするカメラ。
【請求項４】
請求項１に記載のカメラにおいて、
前記本体と前記支持体は全体として直方体状に形成され、
前記本体は、前記底面に対して垂直な平面上で並んでいる２つの受光部を有している、
ことを特徴とするカメラ。
【請求項５】
請求項１乃至４のいずれかに記載のカメラにおいて、
前記本体は２つの受光部と、前記２つの受光部の間に配置される少なくとも１つのマイクとを有している、
ことを特徴とするカメラ。
【請求項６】
請求項５に記載のカメラにおいて、
前記本体は前記２つの受光部の前記第２の方向における一方側に配置されるマイクと、前記２つの受光部の前記第２の方向における他方側に配置されるマイクと、を有している、
ことを特徴とするカメラ。
【請求項７】
請求項１乃至６のいずれかに記載のカメラにおいて、
前記支持体の底面は表示装置に取り付けられるスタンド部材に脱着可能となっている、
ことを特徴とするカメラ。
【請求項８】
カメラと、表示装置に取り付けるためのスタンド部材とを含むカメラアッセンブリであって、
前記カメラは、
受光部を収容し、且つ前記受光部が第１の方向における一方側から光を受けるように配置される本体と、
前記第１の方向に直交する第２の方向で前記本体と並でおり、前記本体を支持している支持体と、
前記第１の方向と前記第２の方向の双方に対して直交する第３の方向における一方側に向いている前記本体の底面と、
前記第３の方向における一方側に向いている前記支持体の底面と、
前記本体と前記支持体との間に配置されている第１の軸と、
前記第１の軸に対して前記第１の方向における他方側に位置し、前記本体と前記支持体との間に配置されている第２の軸と、を備え、
前記本体は、前記第１の軸を中心として中立位置から前記第１の方向における前記一方側に、前記支持体に対して相対的に傾くことができるように前記支持体によって支持され、且つ、前記第２の軸を中心として前記中立位置から前記第１の方向における前記他方側に、前記支持体に対して相対的に傾くことができるように前記支持体によって支持されている、
ことを特徴とするカメラアッセンブリ。
【発明の詳細な説明】
【技術分野】
【０００１】
本発明は、表示装置の縁に取り付けられるカメラに関する。
【背景技術】
【０００２】
従来、表示装置（例えば、テレビジョンや、パーソナルコンピュータのディスプレイ）の縁に取り付けられ、受光部の向きを上下方向で調整できるカメラが利用されている。日本国意匠登録第１２９１７３６号公報に開示されるカメラは、受光部を収容する本体から下方に離れた位置に、表示装置に取り付けられる板状の取付部を有している。
【発明の概要】
【０００３】
上記特許文献１のように本体から下方に離れた位置に取付部が設けられる構造では、カメラの使用時にカメラの本体の位置が高くなるため、取付安定性が確保し難い。
【０００４】
上記課題を解決するためのカメラは、受光部を収容する、平らな底面を有する本体と、前記本体と左右方向で並び、前記受光部の向きが上下方向で調整できるように前記本体を支持し、前記本体の底面と共通の平面上に位置している底面を有し、当該底面が表示装置に取り付けられるスタンド部材に脱着可能となっている支持体と、を備える。
【０００５】
上記課題を解決するためのカメラアッセンブリは、カメラと、表示装置に取り付けるためのスタンド部材とを含む。前記カメラは、受光部を収容する、平らな底面を有する本体と、前記本体と左右方向で並び、前記受光部の向きが上下方向で調整できるように前記本体を支持し、前記本体の底面と共通の平面上に位置している底面を有し、当該底面が前記スタンド部材に脱着可能となっている支持体と、を備える。
【０００６】
上記カメラ及びカメラアッセンブリによれば、カメラの取付安定性を向上できる。
【図面の簡単な説明】
【０００７】
【図１】本発明の一実施形態によるカメラアッセンブリの分解斜視図である。
【図２】上記カメラアッセンブリを構成するカメラを示す図である。同図（ａ）は正面図であり、同図（ｂ）は側面図であり、同図（ｃ）は低面図である。
【図３】上記カメラが備える支持体の分解斜視図である。
【図４】上記カメラが備える支持体に対する本体の動きを説明するための図である。
【図５】図２（ｃ）に示すＶ−Ｖ線での断面図である。
【発明を実施するための形態】
【０００８】
以下、本発明の一実施形態について図面を参照しながら説明する。図１は本発明の実施形態の例であるカメラアッセンブリ１の分解斜視図である。図２はカメラアッセンブリ１を構成するカメラ１０を示す図である。同図（ａ）は正面図であり、同図（ｂ）は側面図であり、同図（ｃ）は低面図である。図３はカメラ１０を構成する支持体３０の分解斜視図である。図４はカメラ１０が備える支持体３０に対する本体２０の動きを説明するための図である。図５は図２（ｃ）に示すＶ−Ｖ線での断面図である。
【０００９】
以下の説明において、図１に示すＹ１及びＹ２はそれぞれ前方及び後方である。また、Ｘ１及びＸ２はそれぞれ右方向及び左方向である。また、Ｚ１及びＺ２はそれぞれ上方及び下方である。
【００１０】
図１に示すように、カメラアッセンブリ１は表示装置（テレビジョンや、パーソナルコンピュータのディスプレイ）の上縁でカメラ１０を支持するためのスタンド部材８０を備えている。スタンド部材８０は表示装置の上縁に取り付けられ、カメラ１０はスタンド部材８０の上面に取り付けられる。
【００１１】
図２（ａ）に示すように、カメラ１０は、受光部２１を収容する本体２０を有している。受光部２１はレンズモジュールや受光素子によって構成される。カメラ１０はケーブル４０（図１参照）を通してゲーム装置やパーソナルコンピュータなどの情報処理装置に接続され、受光部２１を通して取得した画像データを情報処理装置に送信する。この例では、本体２０は左右方向に離れて位置する２つの受光部２１を有している。このため、情報処理装置では、２つの受光部２１を通して取得した画像データに基づいて三次元画像が生成され得る。受光部２１の数は２つに限られず、１つでもよい。
【００１２】
図２（ａ）に示すように、本体２０はマイク２２を有している。カメラ１０は、マイク２２を通して取得した音声データをケーブル４０を通して情報処理装置に送信する。この例の本体２０は左右方向において間隔を空けて配置されている複数のマイク２２を有している。このため、情報処理装置では、複数のマイク２２を通して取得した音声データに基づいて音源の位置が算出され得る。複数のマイク２２は２つの受光部２１とともに左右方向で並んでいる。この例では、本体２０は４つのマイク２２を備えている。２つの受光部２１の間には２つのマイク２２が配置されている。これにより、２つの受光部２１の間の空間を有効に利用できている。また、２つの受光部２１の外側に２つのマイク２２が配置されている。すなわち、右側の受光部２１の右方向と、左側の受光部２１の左方向のそれぞれにマイク２２が配置されている。これにより、２つの受光部２１の外側に配置される２つのマイク２２の距離が大きくなるので、音源の位置の算出精度を向上できる。
【００１３】
マイク２２のレイアウトは以上説明したものに限られない。例えば、４つのマイク２２の全てが２つの受光部２１の外側に配置されてもよい。また、本体２０は３つのマイク２２を備え、２つの受光部２１の間に１つのマイク２２が配置されてもよい。さらに、本体２０は２つのマイク２２だけを備えてもよい。この場合、２つの受光部２１の外側にのみマイク２２が配置されてもよい。また、２つの受光部２１の間にのみマイク２２が配置されてもよい。
【００１４】
図２（ａ）に示すように、カメラ１０は、本体２０と左右方向で並ぶ支持体３０を有している。この例では、支持体３０は本体２０の右側に配置されている。換言すると、支持体３０はカメラ１０の端部（この例では右端部）に位置している。本体２０は、受光部２１の向き（光軸の方向）を上下方向に調整できるように支持体３０によって支持されている。本体２０は平らな底面２０ａを有している。支持体３０の底面３０ａはスタンド部材８０に脱着可能となっている。支持体３０の底面３０ａは本体２０の底面２０ａと共通の平面上に位置してもよい。カメラ１０のこの構造により、本体２０の位置を低くでき、カメラ１０の取付安定性が確保し易くなる。支持体３０による本体２０の支持構造と、支持体３０のスタンド部材８０への取付構造は、後において詳説する。
【００１５】
支持体３０と本体２０は、それらの断面の外形が同じになるように形成されている。ここでの断面は、左右方向に直交する面を切断面とする断面である。この例では、本体２０と支持体３０は全体として左右方向に細長い略直方体である。直方体の右側部分と左側部分のうち一方（この例では左側部分）が本体２０であり、他方（この例では右側部分）が支持体３０である。そのため、支持体３０の断面の外形と本体２０の断面の外形はともに矩形である。本体２０と支持体３０の形状をこのようにすることにより、例えば、不使用時におけるカメラ１０の収納や、カメラ１０の梱包が容易となる。上述した２つの受光部２１とマイク２２は本体２０の底面２０ａに垂直な平面上で並んでいる。詳細には、本体２０は、その前面及び後面と平行且つ底面２０ａに垂直に配置された回路基板（不図示）を含んでいる。受光部２１とマイク２２はこの回路基板に実装されている。本体２０が略直方体であるので、その内部の部品や回路基板のレイアウトが容易となる。なお、支持体３０と本体２０の形状は以上説明したものに限られない。例えば、支持体３０と本体２０は、それらの断面の外形が略半円形になるように形成されてもよい。
【００１６】
図３に示すように、この例の本体２０はケース２３とサイドプレート２４とを有している。ケース２３は本体２０の前面、上面、後面、及び底面２０ａを構成し、サイドプレート２４は、支持体３０と左右方向で対向する本体２０の側面を構成している。上述した受光部２１とマイク２２は、ケース２３とサイドプレート２４とによって構成されるハウジングに収容されている。ケース２３の前面には音をマイク２２に向けて通すための通音穴２３ｂが形成されている（図１参照）。また、ケース２３の前面は、受光部２１に対応する位置に、光を通す材料で形成されているフロントパネル２３ａを有している。
【００１７】
図１に示すように、ケース２３には、左右方向において等間隔で並ぶ複数の溝２３ｃが形成されている。マイク２２及び受光部２１は隣接する２つの溝２３ｃの間の空間に配置されている。この例の支持体３０は、隣接する２つの溝２３ｃの間隔と略同一の幅を有している。こうすることで支持体３０が目立つことを抑えることができ、カメラ１０の外観を向上できる。
【００１８】
上述したように、支持体３０は受光部２１の向きが上下方向で調整できるように本体２０を支持している。すなわち、本体２０は、本体２０のチルト角が調整できるように支持体３０と連結されている。この例では、受光部２１の向きが変化するように本体２０がその中立位置から動くときに底面２０ａが上がるように、本体２０は支持されている。そのため、カメラ１０をスタンド部材８０に取り付けている状態で本体２０を中立位置から動かすと、その底面２０ａがスタンド部材８０の上面から離れる。この構造により、中立位置にある本体２０とスタンド部材８０との間のクリアランスを小さくできる。その結果、カメラ１０の取り付け安定性を確保することがさらに容易となる。なお、中立位置とは、図２（ａ）に示すように本体２０の底面２０ａと支持体３０の底面３０ａとが同一平面にある状態での本体２０の位置である。本体２０が中立位置にあるときには、その底面２０ａはスタンド部材８０の上面と平行となる。
【００１９】
支持体３０による本体２０の支持構造について詳説する。図３に示すように、本体２０のサイドプレート２４には、前ヒンジ軸２５Ａと、後ヒンジ軸２５Ｂとが設けられている。支持体３０と本体２０はヒンジ軸２５Ａ，２５Ｂによって左右方向において連結されている。この例では、ヒンジ軸２５Ａ，２５Ｂはサイドプレート２４の内側からサイドプレート２４に形成された穴に差し込まれ、サイドプレート２４の外側に向けて突出している。支持体３０はサイドプレート２４に対向するガイドプレート３２を有している。ガイドプレート３２には、前ヒンジ軸２５Ａと後ヒンジ軸２５Ｂとがそれぞれ嵌まる前ガイド穴３２Ａと後ガイド穴３２Ｂとが形成されている。
【００２０】
前ヒンジ軸２５Ａは、左右方向に沿った本体２０の中心線Ｃから前方且つ下方にずれた位置に設けられている。後ヒンジ軸２５Ｂは中心線Ｃから後方且つ下方にずれた位置に設けられている。すなわち、２つのヒンジ軸２５Ａ，２５Ｂはサイドプレート２４の下側部分に設けられ、且つ前後方向に離れて位置している。この例では、前ヒンジ軸２５Ａと後ヒンジ軸２５Ｂは、サイドプレート２４の下側部分の２つの角部にそれぞれ設けられている。前ヒンジ軸２５Ａは前側の角に設けられ、後ヒンジ軸２５Ｂは後側の角に設けられている。
【００２１】
図４は支持体３０に対する本体２０の動きを説明するための図である。この図では、サイドプレート２４と、支持体３０のガイドプレート３２とが示されている。図４（ａ）に示すように、本体２０は、受光部２１の向きが斜め下方になるように中立位置から前方に傾くときに、前ヒンジ軸２５Ａを中心に回転する。その結果、本体２０の底面２０ａが持ち上がる。このように本体２０が前方に傾くとき、前ヒンジ軸２５Ａは前ガイド穴３２Ａの下端で支持される。図４（ｂ）に示すように、本体２０は、受光部２１の向きが斜め下方になるように中立位置から後方に傾くときには、後ヒンジ軸２５Ｂを中心に回転する。その結果、この場合も本体２０の底面２０ａが持ち上がる。本体２０が中立位置から後方に傾くとき、後ヒンジ軸２５Ｂは後ガイド穴３２Ｂの下端で支持される。
【００２２】
図４（ｂ）に示すように、前ガイド穴３２Ａは、本体２０が中立位置から後方に傾くときに前ヒンジ軸２５Ａの動きを許容するように形成されている。具体的には、前ガイド穴３２Ａは、このときの前ヒンジ軸２５Ａの軌道に合わせて、後ヒンジ軸２５Ｂを中心とする弧状に形成されている。一方、後ガイド穴３２Ｂは、図４（ａ）に示すように本体２０が中立位置から前方に傾くときに、後ヒンジ軸２５Ｂの動きを許容するように形成されている。具体的には、後ガイド穴３２Ｂは、このときの後ヒンジ軸２５Ｂの軌道に合わせて、前ヒンジ軸２５Ａを中心とする弧状に形成されている。本体２０が中立位置にあるとき、前ヒンジ軸２５Ａと後ヒンジ軸２５Ｂはそれぞれ前ガイド穴３２Ａの下端と後ガイド穴３２Ｂの下端に位置している。
【００２３】
前ガイド穴３２Ａの上端と後ガイド穴３２Ｂの上端は、それぞれ本体２０の傾き角の上限を規定するストッパとして機能する。すなわち、受光部２１の向きは、図４（ｂ）に示すように、前ヒンジ軸２５Ａが前ガイド穴３２Ａの上端に当たるまで上方に傾けることができる。また、受光部２１の向きは、図４（ａ）に示すように、後ヒンジ軸２５Ｂが後ガイド穴３２Ｂの上端に当たるまで下方に傾けることができる。
【００２４】
ガイド穴３２Ａ，３２Ｂは、ヒンジ軸２５Ａ，２５Ｂを支持する下端と、ヒンジ軸２５Ａ，２５Ｂの動きを規制する上端とを有し、ヒンジ軸２５Ａ，２５Ｂの移動を許容する形状であれば、必ずしも弧状には限定されない。例えば、ガイドプレート３２には、前ガイド穴３２Ａから後ガイド穴３２Ｂに及ぶ大きな１つの穴が形成されてもよい。また、前ガイド穴３２Ａの内周面は、前ヒンジ軸２５Ａの軌道よりも内側に位置する面と、前ヒンジ軸２５Ａの軌道よりも外側に位置する面とを含んでいる。しかしながら、これら２つの面のうちいずれか一方（例えば、軌道よりも外側に位置する面）は前ヒンジ軸２５Ａの軌道に沿っていなくてもよい。また、ガイドプレート３２には、前ヒンジ軸２５Ａの軌道よりも外側に位置する面が形成されていなくてもよい。同様に、後ガイド穴３２Ｂの内周面は、後ヒンジ軸２５Ｂの軌道よりも内側に位置する面と、後ヒンジ軸２５Ｂの軌道よりも外側に位置する面とを含んでいる。しかしながら、これら２つの面のうちいずれか一方（例えば、軌道よりも外側に位置する面）は後ヒンジ軸２５Ｂの軌道に沿っていなくてもよい。また、ガイドプレート３２には、後ヒンジ軸２５Ｂの軌道よりも外側に位置する面が形成されていなくてもよい。
【００２５】
上述したように、この例のヒンジ軸２５Ａ，２５Ｂはサイドプレート２４の内側から外側に向けて突出し、ガイドプレート３２のガイド穴３２Ａ，３２Ｂにそれぞれ嵌まっている。ヒンジ軸２５Ａ，２５Ｂの端部には、これらの軸がガイド穴３２Ａ，３２Ｂから抜けるのを防止する抜け止め部材（例えば、Ｅリング）３が取り付けられている。また、ヒンジ軸２５Ａ，２５Ｂの端部には、ワッシャー４と、ワッシャー４をガイド穴３２Ａ，３２Ｂの縁に押し当てる弾性部材（この例では、バネワッシャー）５が取り付けられている。これにより、ワッシャー４とガイド穴３２Ａ，３２Ｂの縁との間に摩擦力が発生する。この摩擦力により本体２０を任意の傾き角で保持できる。
【００２６】
図３に示すように、サイドプレート２４には、ヒンジ軸２５Ａ，２５Ｂに加えて、被ガイド軸２５Ｃが設けられている。この例では、被ガイド軸２５Ｃは、ヒンジ軸２５Ａ，２５Ｂと同様に、サイドプレート２４の内側から、それに形成された穴に差し込まれ、サイドプレート２４の外側に向けて突出している。被ガイド軸２５Ｃは、ヒンジ軸２５Ａ，２５Ｂとは反対に、サイドプレート２４の上側部分に設けられている。また、被ガイド軸２５Ｃは前ヒンジ軸２５Ａと後ヒンジ軸２５Ｂとから等距離に位置している。ガイドプレート３２には被ガイド軸２５Ｃが嵌まるガイド穴３２Ｃが形成されている。ガイド穴３２Ｃは、本体２０が回転するときの被ガイド軸２５Ｃの軌道に合わせて形成されている。具体的には、図４（ａ）に示すように本体２０が前方に傾くときの被ガイド軸２５Ｃの軌道と、図４（ｂ）に示すように本体２０が後方に傾くときの被ガイド軸２５Ｃの軌道とに合わせて、ガイド穴３２Ｃは前ヒンジ軸２５Ａを中心とする弧と後ヒンジ軸２５Ｂを中心とする弧とを繋いだ形状を有している。この被ガイド軸２５Ｃとガイド穴３２Ｃとによって、サイドプレート２４とガイドプレート３２との間に隙間が生じることを抑えることができる。本体２０が中立位置にあるとき、被ガイド軸２５Ｃはガイド穴３２Ｃの中心、すなわち、前ヒンジ軸２５Ａを中心とする弧と後ヒンジ軸２５Ｂを中心とする弧の接続位置に位置している。
【００２７】
なお、被ガイド軸２５Ｃの端部には、ヒンジ軸２５Ａ，２５Ｂと同様に、この軸がガイド穴３２Ｃから抜けるのを防止する抜け止め部材（例えば、Ｅリング）３が取り付けられている。また、被ガイド軸２５Ｃの端部には、ワッシャー４と、ワッシャー４をガイド穴３２Ｃの縁に押し当てる弾性部材５が取り付けられている。
【００２８】
なお、ヒンジ軸２５Ａ，２５Ｂ及び被ガイド軸２５Ｃの差し込み方向は、上述した方向とは反対でもよい。つまり、ヒンジ軸２５Ａ，２５Ｂ及び被ガイド軸２５Ｃは、支持体３０の内側からガイド穴３２Ａ，３２Ｂ，３２Ｃを通って外側に突出し、サイドプレート２４の穴に固定されてもよい。
【００２９】
図３に示すように、支持体３０はガイドプレート３２に加えて、支持体３０の外面を構成するケース３４と、ケース３４の内側に配置され、且つガイドプレート３２が取り付けられるフレーム３５とを有している。ガイドプレート３２とフレーム３５は複数の螺子６で互いに固定されている。上述の抜け止め部材３、ワッシャー４、弾性部材５は、ガイドプレート３２とフレーム３５との間に配置される。
【００３０】
上述したように、支持体３０の底面３０ａはスタンド部材８０に脱着可能となっている。具体的には、支持体３０の底面３０ａとスタンド部材８０の上面のうち一方は、他方に向けて突出する係合部を有している。また、当該他方は係合部が嵌まる穴又は凹部である被係合部を有している。係合部は被係合部に嵌まった状態で保持される。
【００３１】
図１及び図５に示す例では、スタンド部材８０は上述の係合部である係合軸８５を有している。支持体３０は、その底部に底プレート３６を有している。底プレート３６には上述の被係合部である被係合穴３６ａが形成され、係合軸８５は被係合穴３６ａに嵌まっている。また、支持体３０は、底プレート３６上に（底プレート３６の内側に）略Ｕ字形状の保持ピン３７を有している。係合軸８５の外周面には溝が形成され、保持ピン３７は溝が形成された部分を弾性的に保持している。係合軸８５が保持ピン３７に保持されている状態では、支持体３０の底面３０ａはスタンド部材８０の上面に接している。保持ピン３７が広がるように弾性変形することにより、係合軸８５を保持ピン３７の内側に嵌めたり、保持ピン３７から抜くことができる。支持体３０は保持ピン３７を底プレート３６に固定するための保持プレート３９を有している。
【００３２】
支持体３０の底面３０ａとスタンド部材８０の上面のうち一方は、他方に向けて突出する複数の位置決め突起を有している。この例では、図１及び図５に示すように、スタンド部材８０は複数（ここで説明する例では４つ）の位置決め突起８４ａを有している。これらは係合軸８５を取り囲むように配置されている。支持体３０の底プレート３６には、位置決め突起８４ａが嵌まる凹部３６ｂが形成されている。ここで説明する凹部３６ｂは、４つの位置決め突起８４ａに対応する位置を繋ぐ矩形の溝である（図２（ｃ）参照）。位置決め突起８４ａは凹部３６ｂの角部に位置している。これにより、カメラ１０のスタンド部材８０に対する右方向又は左方向への相対的な回転や、前後方向での相対動は、位置決め突起８４ａと凹部３６ｂとによって規制される。
【００３３】
図３及び図５に示すように、底プレート３６はフレーム３５の底面に取り付けられている。この例では、底プレート３６には、複数（この例では２つ）の螺子７が下側から差し込まれている。螺子７はフレーム３５の下壁部３５ａを超えて上方に突出している。ケース３４とフレーム３５は左右方向において嵌められる。ケース３４はフレーム３５の下壁部３５ａ上に位置する取付部３４ａを有している。螺子７はこの取付部３４ａに形成された螺子穴に差し込まれている。これにより、フレーム３５と、底プレート３６と、ケース３４は螺子７によって互いに固定されている。
【００３４】
図３に示すように、カメラ１０はケーブル４０を有している。ケーブル４０はその一方の端部に、コネクタ４１を有している。コネクタ４１は本体２０に収容され、本体２０内の回路基板に設けられたコネクタに接続されている。サイドプレート２４と、ガイドプレート３２、及びフレーム３５には、左右方向にこれらを貫通する穴２４ｅ，３２ｅ，３５ｅがそれぞれ形成されている。ケーブル４０はコネクタ４１から、穴２４ｅ，３２ｅ，３５ｅを通って左右方向の外方（この例では右方向）に伸びている。その後、ケーブル４０は、支持部３０から後方に伸びている。
【００３５】
図３に示すように、ケーブル４０は、コネクタ４１から離れた位置にブッシュ４２を有している。ブッシュ４２は、フレーム３５の内側に配置される板状の前部４２ａと、支持体３０の後側に位置し、支持体３０の後面に接する後部４２ｂ（図２（ｂ）参照）とを有している。図２（ｂ）に示すように、後部４２ｂの底面４２ｃは、支持体３０の底面３０ａと本体２０の底面２０ａと共通の平面上に位置している。そのため、カメラ１０の取付安定性をさらに向上できる。図３に示すように、フレーム３５の後壁部には溝３５ｂが形成されている。前部４２ａと後部４２ｂとの間の部分はこの溝３５ｂの内側で保持されている。
【００３６】
スタンド部材８０について説明する。図１に示すように、スタンド部材８０はカメラ１０が載せられる支持プレート８１を有している。支持プレート８１は表示装置の上縁に配置される。支持プレート８１の前縁８１ｂはカメラ１０の前面よりも後方に位置している（図４参照）。これにより、カメラ１０の本体２０を前方に傾ける際に、本体２０と支持プレート８１とが干渉することを確実に抑えることができる。同様に、支持プレート８１の後縁８１ｃはカメラ１０の後面よりも前方に位置している。
【００３７】
支持プレート８１は平らな上面を有している。この例の支持プレート８１の左右方向の幅は、カメラ１０の左右方向の幅に対応している。詳細には、支持プレート８１はカメラ１０と同じ左右方向の幅を有している。したがって、支持プレート８１の上面は、カメラ１０の支持体３０の底面３０ａが取り付けられる部分と、本体２０が載せられる部分とを有している。支持プレート８１のこのような形状によれば、カメラ１０を安定的に支持できる。
【００３８】
この例では、支持プレート８１の上面の端部（この例では右端部）に、上述の係合軸８５及び位置決め突起８４ａが設けられている。なお、図５に示すように、この例の支持プレート８１は、その上側部分を構成する上ケース８１ｅと、その下側部分を構成する下ケース８１ｆとを有している。これら２つのケース８１ｅ，８１ｆの間に、位置決め突起８４ａを有するプレート８４と、係合軸８５とが配置されている。位置決め突起８４ａと係合軸８５は、上ケース８１ｅに形成された穴から上方に突出している。
【００３９】
図１に示すように、支持プレート８１は、その中央部に、後方に伸びる延伸部８１ｄを有している。スタンド部材８０は、延伸部８１ｄの後縁に連結されている第１可動プレート８２と、第１可動プレート８２の後縁に連結されている第２可動プレート８３とを有している。延伸部８１ｄと第１可動プレート８２はヒンジ８６によって互いに連結されている。第１可動プレート８２と第２可動プレート８３はヒンジ８７によって互いに連結されている。
【００４０】
支持プレート８１の前縁には下方に突出するフック８１ａが形成されている。スタンド部材８０の使用時、フック８１ａは表示装置の上縁の前側に引っ掛かる。第１可動プレート８２と第２可動プレート８３は、図１に示すように全体として下側に折り曲げることができる。第２可動プレート８３の後縁（下縁）は表示装置の後面に当たる。すなわち、スタンド部材８０はフック８１ａと第２可動プレート８３の後縁とによって表示装置を挟み、表示装置に取り付けられる。好適には、第２可動プレート８３の後縁にはゴムなどで形成された滑り止め部材８３ａが設けられてもよい。
【００４１】
なお、本発明は以上説明したカメラ１０及びカメラアッセンブリ１に限られず、種々の変更が可能である。
【００４２】
例えば、カメラ１０は２つの受光部２１をそれぞれ収納する２つの本体２０を備えてもよい。この場合、２つの本体２０の間に支持体３０が配置されてもよい。
【００４３】
また、カメラ１０は１つのヒンジ軸だけを備えていてもよい。この場合、受光部２１の向きが上下方向に変化するように本体２０が動くときにヒンジ軸が上下動できるように、サイドプレート２４及びガイドプレート３２はヒンジ軸を支持してもよい。こうすることにより、中立位置にある本体２０とスタンド部材８０との間に、本体２０の回転を供するためのクリアランスを確保する必要がなくなるので、本体２０とスタンド部材８０との距離を狭めることができる。その結果、本体２０の取付安定性を向上できる。
【００４４】
また、被ガイド軸２５Ｃ及びそれに対応するガイド穴３２Ｃは必ずしも設けられていなくてもよい。
【図１】
0005841669.tif 000002
【図２】
0005841669.tif 000003
【図３】
0005841669.tif 000004
【図４】
0005841669.tif 000005
【図５】
0005841669.tif 000006